【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
セキュリティパラメータ伝送方法であって、
ネットワーク側デバイスにより、第１の端末デバイスにより送信された無線リソース接続管理シグナリングを受信するステップであり、前記第１の端末デバイスは、中継機能を有し、前記無線リソース接続管理シグナリングは、第２の端末デバイスにより前記第１の端末デバイスに送信されるステップと、
前記ネットワーク側デバイスにより、前記無線リソース接続管理シグナリングを生成した前記第２の端末デバイスの識別子を決定し、前記第２の端末デバイスの前記識別子に対応するセキュリティパラメータを取得するステップと、
前記ネットワーク側デバイスにより、前記第１の端末デバイスを使用することにより、前記取得されたセキュリティパラメータを前記第２の端末デバイスに送信するステップと
を含む方法。
【請求項２】
前記無線リソース接続管理シグナリングは、前記第２の端末デバイスの前記識別子を搬送する、請求項１に記載の方法。
【請求項３】
前記ネットワーク側デバイスにより、前記無線リソース接続管理シグナリングを生成した前記第２の端末デバイスの識別子を決定することは、
前記ネットワーク側デバイスにより、前記無線リソース接続管理シグナリングを伝送するための専用無線ベアラの識別子を決定し、専用無線ベアラの識別子と第２の端末デバイスの識別子との間の対応関係に基づいて、前記無線リソース接続管理シグナリングを伝送するための前記専用無線ベアラの前記識別子に対応する第２の端末デバイスの識別子が、前記無線リソース接続管理シグナリングを生成した前記第２の端末デバイスの前記識別子であると決定するステップであり、前記専用無線ベアラは、前記ネットワーク側デバイスと前記第１の端末デバイスとの間の無線ベアラであるステップ、又は
前記ネットワーク側デバイスにより、前記無線リソース接続管理シグナリングで搬送されたシグナリング送信元指示情報を取得し、前記シグナリング送信元指示情報に基づいて、前記無線リソース接続管理シグナリングが前記第２の端末デバイスにより生成されたと決定し、前記無線リソース接続管理シグナリングに基づいて、前記第２の端末デバイスの前記識別子を決定するステップであり、前記シグナリング送信元指示情報は、前記無線リソース接続管理シグナリングが前記第２の端末デバイスにより生成されたことを示すために使用されるステップ
を含む、請求項１に記載の方法。
【請求項４】
ネットワーク側デバイスにより、第１の端末デバイスにより送信された無線リソース接続管理シグナリングを受信する前に、前記方法は、
前記ネットワーク側デバイスにより、無線ベアラ設定シグナリングを前記第１の端末デバイスに送信するステップであり、前記無線ベアラ設定シグナリングは、前記第２の端末デバイスの前記無線リソース接続管理シグナリングを伝送するために設定されるべき前記専用無線ベアラの前記識別子を少なくとも含むステップと、
前記ネットワーク側デバイスにより、前記第１の端末デバイスにより返信された無線ベアラ設定完了シグナリングを受信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を更に含む、請求項３に記載の方法。
【請求項５】
前記ネットワーク側デバイスにより、前記第１の端末デバイスを使用することにより、前記取得されたセキュリティパラメータを前記第２の端末デバイスに送信することは、
前記ネットワーク側デバイスにより、セキュア伝送モード要求を生成するステップであり、前記セキュア伝送モード要求は、前記セキュリティパラメータを搬送するステップと、
前記ネットワーク側デバイスにより、前記セキュア伝送モード要求を前記第１の端末デバイスに送信し、それにより、前記第１の端末デバイスは、前記セキュア伝送モード要求を前記第２の端末デバイスに転送するステップと
を含む、請求項１乃至４のうちいずれか１項に記載の方法。
【請求項６】
前記セキュリティパラメータが前記第２の端末デバイスと前記ネットワーク側デバイスとの間でデータを伝送するために使用されるときに、暗号化及び／又は解読及び／又はインテグリティ保護及び／又はインテグリティ保護検査が前記データに対して実行される、請求項１乃至５のうちいずれか１項に記載の方法。
【請求項７】
セキュリティパラメータ伝送方法であって、
第１の端末デバイスにより、第２の端末デバイスの無線リソース接続管理シグナリングの宛先がネットワーク側デバイスであると決定し、次に、前記無線リソース接続管理シグナリングを前記ネットワーク側デバイスに送信するステップであり、前記第１の端末デバイスは、中継機能を有するステップと、
前記第１の端末デバイスにより、前記無線リソース接続管理シグナリングに基づいて前記ネットワーク側デバイスにより返信されたセキュリティパラメータを受信し、前記セキュリティパラメータを前記第２の端末デバイスに転送するステップであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得されるステップと
を含む方法。
【請求項８】
前記無線リソース接続管理シグナリングは、前記第２の端末デバイスの前記識別子を搬送する、請求項７に記載の方法。
【請求項９】
第１の端末デバイスにより、第２の端末デバイスの無線リソース接続管理シグナリングの宛先がネットワーク側デバイスであると決定することは、
専用エアインタフェースリソースを使用することにより、前記第２の端末デバイスにより送信された前記無線リソース接続管理シグナリングを受信したと決定した場合、前記第１の端末デバイスにより、前記無線リソース接続管理シグナリングの前記宛先が前記ネットワーク側デバイスであると決定するステップであり、前記専用エアインタフェースリソースは、前記第２の端末デバイスのシグナリングを前記ネットワーク側デバイスに転送するように前記第１の端末デバイスに対して命令するために使用されるステップ、又は
前記第１の端末デバイスにより、前記無線リソース接続管理シグナリングが転送命令情報を搬送すると決定し、前記転送命令情報に基づいて、前記無線リソース接続管理シグナリングの前記宛先が前記ネットワーク側デバイスであると決定するステップであり、前記転送命令情報は、前記第２の端末デバイスのシグナリングを前記ネットワーク側デバイスに転送するように命令するために使用されるステップ
を含む、請求項７又は８に記載の方法。
【請求項１０】
第１の端末デバイスにより、前記無線リソース接続管理シグナリングを前記ネットワーク側デバイスに送信することは、
前記第１の端末デバイスにより、第２の端末デバイスの識別子と専用無線ベアラの識別子との間の対応関係に基づいて、前記無線リソース接続管理シグナリングを生成した前記第２の端末デバイスの前記識別子に対応する専用無線ベアラの識別子を決定し、前記専用無線ベアラの前記識別子に基づいて、前記無線リソース接続管理シグナリングを前記ネットワーク側デバイスに送信するステップであり、前記専用無線ベアラは、前記ネットワーク側デバイスと前記第１の端末デバイスとの間の無線ベアラであるステップ、又は
前記第１の端末デバイスにより、シグナリング送信元指示情報を前記無線リソース接続管理シグナリングに追加した後に、前記無線リソース接続管理シグナリングを前記ネットワーク側デバイスに送信するステップであり、前記シグナリング送信元指示情報は、前記無線リソース接続管理シグナリングが前記第２の端末デバイスにより生成されたことを示すために使用されるステップ
を含む、請求項７乃至９のうちいずれか１項に記載の方法。
【請求項１１】
前記第１の端末デバイスにより、前記無線リソース接続管理シグナリングに基づいて前記ネットワーク側デバイスにより返信されたセキュリティパラメータを受信し、前記セキュリティパラメータを前記第２の端末デバイスに転送することは、
前記第１の端末デバイスにより、前記ネットワーク側デバイスにより返信されたセキュア伝送モード要求を受信するステップであり、前記セキュア伝送モード要求は、前記セキュリティパラメータを搬送するステップと、
前記第１の端末デバイスにより、前記セキュア伝送モード要求を前記第２の端末デバイスに転送するステップと
を含む、請求項７乃至１０のうちいずれか１項に記載の方法。
【請求項１２】
前記第１の端末デバイス及び前記第２の端末デバイスは、デバイス対デバイスD2Dプロトコル、ブルートゥースプロトコル又はワイヤレスフィデリティWi-Fiプロトコルを使用することにより、互いに無線接続を確立する、請求項７乃至１１のうちいずれか１項に記載の方法。
【請求項１３】
セキュリティパラメータ伝送方法であって、
第２の端末デバイスにより、無線リソース接続管理シグナリングを第１の端末デバイスに送信し、それにより、前記第１の端末デバイスは、前記無線リソース接続管理シグナリングの宛先がネットワーク側デバイスであると決定した後に、前記無線リソース接続管理シグナリングを前記ネットワーク側デバイスに転送するステップであり、前記第１の端末デバイスは、中継機能を有するステップと、
前記第２の端末デバイスにより、前記第１の端末デバイスを使用することにより、前記ネットワーク側デバイスにより返信されたセキュリティパラメータを受信するステップであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得されるステップと
を含む方法。
【請求項１４】
前記無線リソース接続管理シグナリングは、前記第２の端末デバイスの前記識別子を搬送する、請求項１３に記載の方法。
【請求項１５】
第２の端末デバイスにより、無線リソース接続管理シグナリングを第１の端末デバイスに送信することは、
前記第２の端末デバイスにより、専用エアインタフェースリソースを使用することにより、前記無線リソース接続管理シグナリングを前記第１の端末デバイスに送信するステップであり、前記専用エアインタフェースリソースは、前記第２の端末デバイスのシグナリングを前記ネットワーク側デバイスに転送するように命令するために使用されるステップ、又は
前記第２の端末デバイスにより、転送命令情報を前記無線リソース接続管理シグナリングに追加した後に、前記無線リソース接続管理シグナリングを前記第１の端末デバイスに送信するステップであり、前記転送命令情報は、前記第２の端末デバイスのシグナリングを前記ネットワーク側デバイスに転送するように命令するために使用されるステップ
を含む、請求項１３又は１４に記載の方法。
【請求項１６】
前記第１の端末デバイス及び前記第２の端末デバイスは、デバイス対デバイスD2Dプロトコル、ブルートゥースプロトコル又はワイヤレスフィデリティWi-Fiプロトコルを使用することにより、互いに無線接続を確立する、請求項１３乃至１５のうちいずれか１項に記載の方法。
【請求項１７】
セキュリティパラメータ伝送のための無線ベアラを設定するための方法であって、
ネットワーク側デバイスにより、無線ベアラ設定シグナリングを第１の端末デバイスに送信するステップであり、前記無線ベアラ設定シグナリングは、第２の端末デバイスの無線リソース接続管理シグナリングを伝送するために設定されるべき専用無線ベアラの識別子を少なくとも含み、前記専用無線ベアラは、前記ネットワーク側デバイスと前記第１の端末デバイスとの間の無線ベアラであり、前記第１の端末デバイスは、中継機能を有するステップと、
前記ネットワーク側デバイスにより、前記第１の端末デバイスにより返信された無線ベアラ設定完了シグナリングを受信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を含む方法。
【請求項１８】
前記無線ベアラ設定シグナリングは、以下のもの、すなわち、
前記設定されるべき専用無線ベアラが前記第２の端末デバイスのデータを中継するために使用されることを示すために使用される中継指示情報、
前記設定されるべき専用無線ベアラが第２の端末デバイス識別子又は第２の端末デバイス識別子リストにより示される第２の端末デバイスのデータを伝送するために使用されることを示すために使用される前記第２の端末デバイス識別子又は前記第２の端末デバイス識別子リスト、
無線リンク制御レイヤの設定パラメータ、
前記設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む、請求項１７に記載の方法。
【請求項１９】
第１の端末デバイスにより送信された無線リソース接続管理シグナリングを受信するように構成された受信モジュールであり、前記第１の端末デバイスは、中継機能を有し、前記無線リソース接続管理シグナリングは、第２の端末デバイスにより前記第１の端末デバイスに送信される受信モジュールと、
前記受信モジュールにより受信された前記無線リソース接続管理シグナリングを生成した前記第２の端末デバイスの識別子を決定し、前記第２の端末デバイスの前記識別子に対応するセキュリティパラメータを取得するように構成された処理モジュールと、
前記第１の端末デバイスを使用することにより、前記取得されたセキュリティパラメータを前記第２の端末デバイスに送信するように構成された送信モジュールと
を含むネットワーク側デバイス。
【請求項２０】
前記無線リソース接続管理シグナリングは、前記第２の端末デバイスの前記識別子を搬送する、請求項１９に記載のネットワーク側デバイス。
【請求項２１】
前記処理モジュールは、
前記無線リソース接続管理シグナリングを伝送するための専用無線ベアラの識別子を決定し、専用無線ベアラの識別子と第２の端末デバイスの識別子との間の対応関係に基づいて、前記無線リソース接続管理シグナリングを伝送するための前記専用無線ベアラの前記識別子に対応する第２の端末デバイスの識別子が、前記無線リソース接続管理シグナリングを生成した前記第２の端末デバイスの前記識別子であると決定し、前記専用無線ベアラは、前記ネットワーク側デバイスと前記第１の端末デバイスとの間の無線ベアラであるか、或いは
前記無線リソース接続管理シグナリングで搬送されたシグナリング送信元指示情報を取得し、前記シグナリング送信元指示情報に基づいて、前記無線リソース接続管理シグナリングが前記第２の端末デバイスにより生成されたと決定し、前記無線リソース接続管理シグナリングに基づいて、前記第２の端末デバイスの前記識別子を決定し、前記シグナリング送信元指示情報は、前記無線リソース接続管理シグナリングが前記第２の端末デバイスにより生成されたことを示すために使用される
ように構成される、請求項１９に記載のネットワーク側デバイス。
【請求項２２】
前記送信モジュールは、
前記受信モジュールが前記第１の端末デバイスにより送信された前記無線リソース接続管理シグナリングを受信する前に、無線ベアラ設定シグナリングを前記第１の端末デバイスに送信するように更に構成され、前記無線ベアラ設定シグナリングは、前記第２の端末デバイスの前記無線リソース接続管理シグナリングを伝送するために設定されるべき前記専用無線ベアラの前記識別子を少なくとも含み、
前記受信モジュールは、
前記第１の端末デバイスにより返信された無線ベアラ設定完了シグナリングを受信するように更に構成され、前記無線ベアラ設定完了シグナリングは、前記第２の端末デバイスの前記無線リソース接続管理シグナリングを伝送するための前記専用無線ベアラの設定が完了したことを示すために使用される、請求項２１に記載のネットワーク側デバイス。
【請求項２３】
前記処理モジュールは、
セキュア伝送モード要求を生成するように構成され、前記セキュア伝送モード要求は、前記セキュリティパラメータを搬送し、
前記送信モジュールは、
前記処理モジュールにより生成された前記セキュア伝送モード要求を前記第１の端末デバイスに送信するように構成され、それにより、前記第１の端末デバイスは、前記セキュア伝送モード要求を前記第２の端末デバイスに転送する、請求項１９乃至２２のうちいずれか１項に記載のネットワーク側デバイス。
【請求項２４】
前記セキュリティパラメータが前記第２の端末デバイスと前記ネットワーク側デバイスとの間でデータを伝送するために使用されるときに、暗号化及び／又は解読及び／又はインテグリティ保護及び／又はインテグリティ保護検査が前記データに対して実行される、請求項１９乃至２３のうちいずれか１項に記載のネットワーク側デバイス。
【請求項２５】
中継機能を有する第１の端末デバイスである端末デバイスであって、
第２の端末デバイスの無線リソース接続管理シグナリングの宛先がネットワーク側デバイスであると決定された後に、前記無線リソース接続管理シグナリングを前記ネットワーク側デバイスに送信するように送信モジュールに対して命令するように構成された第１の処理モジュールと、
受信モジュールを使用することにより、前記無線リソース接続管理シグナリングに基づいて前記ネットワーク側デバイスにより返信されたセキュリティパラメータを受信し、前記セキュリティパラメータを前記第２の端末デバイスに転送するように前記送信モジュールに対して命令するように構成された第２の処理モジュールであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得される第２の処理モジュールと
を含む端末デバイス。
【請求項２６】
前記無線リソース接続管理シグナリングは、前記第２の端末デバイスの前記識別子を搬送する、請求項２５に記載の端末デバイス。
【請求項２７】
前記第１の処理モジュールは、
専用エアインタフェースリソースを使用することにより、前記受信モジュールが前記第２の端末デバイスにより送信された前記無線リソース接続管理シグナリングを受信したと決定した場合、前記無線リソース接続管理シグナリングの前記宛先が前記ネットワーク側デバイスであると決定し、前記専用エアインタフェースリソースは、前記第２の端末デバイスのシグナリングを前記ネットワーク側デバイスに転送するように前記第１の端末デバイスに対して命令するために使用されるか、或いは
前記無線リソース接続管理シグナリングが転送命令情報を搬送すると決定し、前記転送命令情報に基づいて、前記無線リソース接続管理シグナリングの前記宛先が前記ネットワーク側デバイスであると決定し、前記転送命令情報は、前記第２の端末デバイスのシグナリングを前記ネットワーク側デバイスに転送するように命令するために使用される
ように構成される、請求項２５又は２６に記載の端末デバイス。
【請求項２８】
無線リソース接続管理シグナリングを第１の端末デバイスに送信するように構成された送信モジュールであり、それにより、前記第１の端末デバイスは、前記無線リソース接続管理シグナリングの宛先がネットワーク側デバイスであると決定した後に、前記無線リソース接続管理シグナリングを前記ネットワーク側デバイスに転送し、前記第１の端末デバイスは、中継機能を有する送信モジュールと、
前記第１の端末デバイスを使用することにより、前記ネットワーク側デバイスにより返信されたセキュリティパラメータを受信するように構成された受信モジュールであり、前記セキュリティパラメータは、前記ネットワーク側デバイスが前記無線リソース接続管理シグナリングを生成した端末デバイスの識別子を決定した後に、前記端末デバイスの前記識別子に基づいて前記ネットワーク側デバイスにより取得される受信モジュールと
を含む端末デバイス。
【請求項２９】
前記無線リソース接続管理シグナリングは、前記端末デバイスの前記識別子を搬送する、請求項２８に記載の端末デバイス。
【請求項３０】
前記送信モジュールは、
専用エアインタフェースリソースを使用することにより、前記無線リソース接続管理シグナリングを前記第１の端末デバイスに送信し、前記専用エアインタフェースリソースは、前記端末デバイスのシグナリングを前記ネットワーク側デバイスに転送するように命令するために使用されるか、或いは
転送命令情報が前記無線リソース接続管理シグナリングに追加された後に、前記無線リソース接続管理シグナリングを前記第１の端末デバイスに送信し、前記転送命令情報は、前記端末デバイスのシグナリングを前記ネットワーク側デバイスに転送するように命令するために使用される
ように構成される、請求項２８又は２９に記載の端末デバイス。
【手続補正２】
【補正対象書類名】明細書
【補正対象項目名】０００８
【補正方法】変更
【補正の内容】
【０００８】
この実施例では、中継機能を有する第１の端末デバイスを使用することにより、セキュリティパラメータを取得することを要求するために使用される無線リソース接続管理シグナリングを受信した後に、ネットワーク側デバイスは、無線リソース接続管理シグナリングを生成した第２の端末デバイスの識別子を決定し、第２の端末デバイスの識別子に対応するセキュリティパラメータを取得し、第１の端末デバイスを使用することにより、取得されたセキュリティパラメータを第２の端末デバイスに送信し、それにより、ネットワーク側デバイスは、第１の端末デバイスを使用することによりシグナリングを転送する方式で、第２の端末デバイスのためのセキュリティパラメータを設定する。
【手続補正３】
【補正対象書類名】明細書
【補正対象項目名】００８９
【補正方法】削除
【補正の内容】
【手続補正４】
【補正対象書類名】明細書
【補正対象項目名】００９２
【補正方法】変更
【補正の内容】
【００９２】
直接セルラ接続モードの第２の端末デバイスとセルラネットワークとの間の通信のセキュリティ問題を解決するために、第２の端末デバイスがネットワークにアクセスするアーキテクチャが提供される。このアーキテクチャでは、第１の端末デバイスは、第２の端末デバイスのメッセージをネットワーク側デバイスに転送し、第１の端末デバイスは、ネットワーク側デバイスのメッセージを第２の端末デバイスに転送する。転送プロセスにおいて、第１の端末デバイスは、第２の端末デバイスとネットワーク側デバイスとの間でメッセージを転送することのみに制限され、第２の端末デバイスとネットワーク側デバイスとの間で転送されるメッセージを解読できない。
【手続補正５】
【補正対象書類名】明細書
【補正対象項目名】０１０８
【補正方法】変更
【補正の内容】
【０１０８】
D2D通信が例として使用される。LTE-D2Dの追加された特徴は、専用エアインタフェースリソースを使用することにより、データパケットが第２の端末デバイスと第１の端末デバイスとの間で送信されることを可能にし得る。具体的には、専用ベアラD2D-データ無線ベアラ（Data  Radio  Bearer,  DRB）が第２の端末デバイスと第１の端末デバイスとの間に確立され、D2D-DRBは、第１の端末デバイスにより、第２の端末デバイスのシグナリング又はデータをネットワーク側デバイスに転送するために特に使用されるために割り当てられる。すなわち、第１の端末デバイスは、D2D-DRBを使用することにより受信した第２の端末デバイスのシグナリング又はデータを基地局に転送する。ネットワークデバイスのシグナリングの送信宛先が第１の端末デバイスであるときに、第２の端末デバイスは、D2D-DRBを使用することにより、シグナリングを送信する。
【手続補正６】
【補正対象書類名】明細書
【補正対象項目名】０１１２
【補正方法】変更
【補正の内容】
【０１１２】
図９は、D2DメッセージのMAC  PDUの一部の概略構成図である。具体的な実現方式では、oct1内の２つのRビットは、データパケットが転送される必要があるか否かを示すために使用されてもよい。２つのRビット内で、「00」は受信及び自己処理を示し、「01」は受信及び他のD2D  UEへの転送を示し、「10」は受信及び基地局への転送を示すことを仮定する。より多くの処理種別が存在する場合、転送命令情報を搬送するためにより多くのビットが占有されてもよい。例えば、３つ又は４つのRビットが占有される。oct1内の第３のRビットは、MAC  PDUで搬送されたデータパケットがシグナリングであるか一般的なサービスデータであるかを識別するために使用されてもよい。MAC  PDUで搬送された論理チャネル識別子（LCID）は、第１の端末のUUインタフェース上にあり且つ第２の端末デバイスのメッセージを転送するために使用される無線ベアラに対応する論理チャネルグループの識別子である。
【手続補正７】
【補正対象書類名】明細書
【補正対象項目名】０１２４
【補正方法】変更
【補正の内容】
【０１２４】
具体的な実現方式では、例えば、ネットワーク側デバイスは基地局である。基地局は、第１の端末デバイスのために第１の端末デバイスと基地局との間に専用シグナリング無線ベアラ（SRB）、例えば、第１の端末デバイスにより第２の端末デバイスのRRCシグナリングを伝送するために特に使用されるSRB5を設定する。
【手続補正８】
【補正対象書類名】明細書
【補正対象項目名】０１２７
【補正方法】変更
【補正の内容】
【０１２７】
具体的には、専用無線ベアラはSRBである。さらに、無線ベアラ設定シグナリングは、以下の情報、すなわち、
設定されるべき専用無線ベアラが第２の端末デバイスのデータを中継するために使用されることを示すために使用される中継指示情報（relay  indicator）、
設定されるべき専用無線ベアラが第２の端末デバイス識別子又は第２の端末デバイス識別子リストにより示される第２の端末デバイスのデータを伝送するために使用されてもよいことを示すために使用される第２の端末デバイス識別子（remote  UE  ID）又は第２の端末デバイス識別子リスト（remote  UE  ID  list）、
無線リンク制御（RLC）レイヤの設定パラメータ、ここで、パラメータは、一般的な端末のRLCパラメータと同じに保持する必要がある、
専用無線ベアラの論理チャネルグループ（Logical  channel  group）を示すために使用されるMAC設定情報（MAC-config）、例えば、論理チャネル識別子5、及び
一時セル無線ネットワーク一時識別子（CRNTI）リスト、ここで、第２の端末デバイスがネットワークへのRRCリンクを確立せず、第２の端末デバイスがネットワークにより割り当てられた識別子を取得せずに中継UEと連結されるときに、中継UEは、一時CRNTIリストに基づいて、一時識別子を、中継UEと連結された第２の端末デバイスに割り当てる
のうち１つ又は組み合わせを更に含む。
【手続補正９】
【補正対象書類名】明細書
【補正対象項目名】０１６１
【補正方法】変更
【補正の内容】
【０１６１】
任意選択で、無線ベアラ設定シグナリングは、以下の情報、すなわち、
設定される専用無線ベアラが第２の端末デバイスのデータを中継するために、例えば、第２の端末デバイスのシグナリングを中継するために使用されることを示すために使用される中継指示情報（relay  indicator）、
専用無線ベアラが第２の端末デバイス識別子又は第２の端末デバイス識別子リストにより示される第２の端末デバイスのデータを伝送するために使用されてもよいことを示すために使用される第２の端末デバイス識別子（remote  UE  ID）又は第２の端末デバイス識別子リスト（remote  UE  ID  list）、
無線リンク制御（RLC）レイヤの設定パラメータ、ここで、パラメータは、一般的な端末のRLCパラメータと同じに保持する必要がある、
専用無線ベアラの論理チャネルグループ（Logical  channel  group）を示すために使用されるMAC設定情報（MAC-config）、例えば、論理チャネル識別子5、及び
一時セル無線ネットワーク一時識別子（CRNTI）リスト、ここで、第２の端末デバイスがネットワークへのRRCリンクを確立せず、第２の端末デバイスがネットワークにより割り当てられた識別子を取得せずに中継UEと連結されるときに、中継UEは、一時CRNTIリストに基づいて、一時識別子を、中継UEと連結された第２の端末デバイスに割り当てる
のうち１つ又は組み合わせを更に含む。
【手続補正１０】
【補正対象書類名】明細書
【補正対象項目名】０１７１
【補正方法】変更
【補正の内容】
【０１７１】
同じ発明概念に基づいて、本発明の実施例は、他のネットワーク側デバイスを更に提供する。ネットワーク側デバイスの具体的な実現方式について、セキュリティパラメータ伝送方法の実施例のいくつかの説明を参照する。繰り返しの説明は提供されない。図１３に示すように、ネットワーク側デバイスは、プロセッサ1301と、メモリ1302と、トランシーバ1303とを主に含む。トランシーバ1303は、プロセッサ1301の制御でデータを受信及び送信するように構成され、メモリ1302は、予め設定されたプログラムを記憶し、プロセッサ1301は、メモリ1302に記憶されたプログラムを読み取り、プログラムに基づいて以下のプロセス、すなわち、
トランシーバ1303を使用することにより、第１の端末デバイスにより送信された無線リソース接続管理シグナリングを受信するプロセスであり、第１の端末デバイスは、中継機能を有し、無線リソース接続管理シグナリングは、第２の端末デバイスにより第１の端末デバイスに送信されるプロセスと、
トランシーバ1303により受信された無線リソース接続管理シグナリングを生成した第２の端末デバイスの識別子を決定し、第２の端末デバイスの識別子に対応するセキュリティパラメータを取得するプロセスと、
第１の端末デバイスを使用することにより、取得されたセキュリティパラメータを第２の端末デバイスに送信するようにトランシーバ1303に対して命令するプロセスと
を実行するように構成される。